(57)【要約】【課題】操作リングの回動トルクが安定する、操作リングを備えた調整装置を提供する。【解決手段】調整装置(2)は、操作リング(21)と、操作リング(21)を回動軸線(CL1)まわりに回動自由に支持する支持体(22)と、操作リング(21)において支持体(22)の対向周面(22a)と微少隙間(d1)をもって対向する対向内周面(21a)と、微少隙間(d1)に介在するグリス(G)と、対向周面(22a)における対向内周面(21a)に対向しない位置に設けられ、回動軸線(CL1)を中心とする外径が急峻に大きくなる段部(22b)と、を有する。【選択図】図４
2020126197.tif 000002
【特許請求の範囲】
【請求項１】
操作リングと、
前記操作リングを回動軸線まわりに回動可能に支持する支持体と、
前記操作リングにおいて前記支持体の対向周面と微少隙間をもって対向する対向内周面と、
前記微少隙間に介在するグリスと、
前記対向周面における前記対向内周面に対向しない位置に設けられ、前記回動軸線を中心とする外径が急峻に大きくなる段部と、
を有する、
操作リングを備えた調整装置。
【請求項２】
フォーカスリングと、
前記フォーカスリングを回動軸線まわりに回動可能に支持するレンズ鏡筒側部材である支持体と、
前記フォーカスリングにおいて前記支持体の対向周面と微少隙間をもって対向する対向内周面と、
前記微少隙間に介在するグリスと、
前記対向周面における前記対向内周面に対向しない位置に設けられ、前記回動軸線を中心とする外径が急峻に大きくなる段部と、
を有する、
レンズ装置。
【発明の詳細な説明】
【技術分野】
【０００１】
本発明は、操作リングを備えた調整装置及びレンズ装置に関する。
【背景技術】
【０００２】
本体部及び本体部の外面に回動可能に係合する操作リングを備え、操作リングの回動により特性などを調整する調整装置が知られている。特許文献１には、操作リングの円滑な回動のために操作リングと本体部との間にグリスを介在させた調整装置が記載されている。
【先行技術文献】
【特許文献】
【０００３】
【特許文献１】特開平７−２８３０１１号公報
【発明の概要】
【発明が解決しようとする課題】
【０００４】
特許文献１に記載されたような従来の操作リングを備えた調整装置は、グリスを塗布する組立前の部材において塗布範囲が明確ではないことから、固体毎に塗布量にばらつきが生じる場合がある。塗布量がばらつくと操作リングの回動トルクがばらつくため、改善が望まれている。
【０００５】
そこで、本発明が解決しようとする課題は、操作リングの回動トルクが安定する、操作リングを備えた調整装置及びレンズ装置を提供することにある。
【課題を解決するための手段】
【０００６】
上記の課題を解決するために、本発明は次の１），２）の構成を有する。
１）  操作リングと、
前記操作リングを回動軸線まわりに回動可能に支持する支持体と、
前記操作リングにおいて前記支持体の対向周面と微少隙間をもって対向する対向内周面と、
前記微少隙間に介在するグリスと、
前記対向周面における前記対向内周面に対向しない位置に設けられ、前記回動軸線を中心とする外径が急峻に大きくなる段部と、
を有する、
操作リングを備えた調整装置である。
２）  フォーカスリングと、
前記フォーカスリングを回動軸線まわりに回動可能に支持するレンズ鏡筒側部材である支持体と、
前記フォーカスリングにおいて前記支持体の対向周面と微少隙間をもって対向する対向内周面と、
前記微少隙間に介在するグリスと、
前記対向周面における前記対向内周面に対向しない位置に設けられ、前記回動軸線を中心とする外径が急峻に大きくなる段部と、
を有する、
レンズ装置である。
【発明の効果】
【０００７】
本発明によれば、操作リングの回動トルクが安定する、という効果が得られる。
【図面の簡単な説明】
【０００８】
【図１】図１は、本発明の実施の形態に係る操作リングを備えた調整装置の実施例であるレンズ装置２を搭載した撮像装置９１の斜視図である。
【図２】図２は、レンズ装置２の部分縦断面図である。
【図３】図３は、レンズ装置２が備える支持体２２の斜視図である。
【図４】図４は、図２におけるＡ部詳細図である。
【発明を実施するための形態】
【０００９】
本発明の実施の形態に係る操作リングを備えた調整装置を、実施例のレンズ装置２により説明する。
【００１０】
（実施例）
図１は、レンズ装置２を備えた撮像装置９１を左前斜め上方から見た斜視図である。
撮像装置９１は、本体部１及び本体部１の前部に連結されたレンズ装置２を有する。
レンズ装置２は、フォーカスレンズを移動させてフォーカスを調整するための操作リングであるフォーカスリング２１と、フォーカスリング２１をレンズ装置２の光軸ＣＬ１を回動軸線として回動可能に支持する、レンズ鏡筒側部材である支持体２２とを有する。
【００１１】
図２は、レンズ装置２における、フォーカスリング２１及び支持体２２を含む部分縦断面図である。
フォーカスリング２１は、外周面に指のすべり止めとして、ゴム或いはエラストマで形成された環状のすべり止めリング２３が取り付けられている。
【００１２】
図２及び図３に示されるように、支持体２２は、軸線ＣＬ２２を中心とする環状に形成され、レンズ装置２の筐体の一部として組み付けられている。
支持体２２は、外観として外部に露出する露出部２２ｆと、露出部２２ｆの内側の根元部分に連結した基部２２ｃと、基部２２ｃからフォーカスリング２１側である前側に環状に突出した突出部２２ｄとを有する。
基部２２ｃの外周面２２ｃ１は、光軸ＣＬ１を中心として一定の外径を有する。
【００１３】
外周面２２ｃ１の前側の端部は、急峻に縮径する段部２２ｂを介して突出部２２ｄの外周面に相当する対向周面２２ａに接続している。
対向周面２２ａは、段部２２ｂから前方に向かうに従って、外径が徐々に小さくなる傾斜面とされている。
突出部２２ｄの前側の先端面２２ｅは、光軸ＣＬ１に直交する面である。
【００１４】
フォーカスリング２１は、外基部２１１，連結部２１２，及び内基部２１３を有する。
外基部２１１は、支持体２２の露出部２２ｆと概ね同じ径を有する環状に形成されている。連結部２１２は、外基部２１１の前後方向の中央部において内側に接続し、前後方向に薄い円環状に形成されている。
内基部２１３は、連結部２１２の内端に連結する環状部材である。
【００１５】
フォーカスリング２１は、連結部２１２を前後方向から挟まれて回動可能に組み付けられている。
詳しくは、連結部２１２は、後側の支持体２２及び前側の前支持体２４とに、僅かな隙間をもって挟まれている。
図４に示されるように、フォーカスリング２１の外基部２１１の内周面である対向内周面２１ａと、支持体２２の突出部２２ｄの外周面である対向周面２２ａとが、微少隙間である隙間ｄ１を隔てて対向している。
【００１６】
また、フォーカスリング２１の連結部２１２の後面である対向後面２１ｅと、支持体２２の突出部２２ｄの前端面である先端面２２ｅとが、隙間ｄ２を隔てて対向している。
対向内周面２１ａは対向周面２２ａと同じ角度で同じ方向に傾斜した面である。
例えば、隙間ｄ１と隙間ｄ２の隙間の距離は同じに設定されており、それぞれ微少の隙間の０．１ｍｍである。ここで、微少隙間とは、グリスＧが自重で浸み出さない狭い隙間であり、０．１５ｍｍ以下で規定される。
【００１７】
隙間ｄ１及び隙間ｄ２は連続した空間Ｖａを形成している。すなわち、空間Ｖａは、図４に示される縦断面形状が略Ｌ字状であり、このＬ字状の部分を光軸ＣＬ１を中心として３６０°回転して得られる環状の空間である。
空間Ｖａには、グリスＧが充填されている。グリスＧは、フォーカスリング２１を回動させたときの滑性を向上させると共に、スラスト方向及びラジアル方向の力を分散させてフォーカスリング２１及び支持体２２に対し局所的な過大応力が付加されることを防止する。
グリスＧは、光学部品用の市販のグリスであり、例えば、株式会社ニッペコ製の「パーマルブＣ」である（「パーマルブ」は登録商標）。
【００１８】
隙間ｄ１とされた対向内周面２１ａと対向周面２２ａとが対向した部分、及び隙間ｄ２とされた対向後面２１ｅと先端面２２ｅとが対向した部分、以外の対向部分の隙間ｄ３，ｄ４の距離は、隙間ｄ１，ｄ２と比較して少なくとも３倍以上（０．３ｍｍ以上）になっている。
これにより、空間Ｖａに充填されたグリスＧは、空間Ｖａから外部に浸み出すことはなく、経時的に減少せずに保持される。
また、突出部２２ｄの外周面における対向内周面と対向しない位置に形成されている段部２２ｂによっても、外周面におけるグリスＧの漏出はより確実に阻止される。
【００１９】
図３に示されるように、空間Ｖａに充填させるグリスＧは、組み付け前の支持体２２に綿棒などによって塗布される。例えば、支持体２２の対向周面２２ａに、グリスＧを規定量塗布した綿棒Ｍを押し当てた状態で、支持体２２を矢印のように回転させる。これにより、綿棒ＭのグリスＧが対向周面２２ａに転写塗布される。同様に、先端面２２ｅに対してもグリスＧを塗布する。これらは一例であって、グリスＧの塗布方法は限定されるものではない。
【００２０】
支持体２２には、段部２２ｂが形成されている。これにより、グリスＧの塗布作業において、作業者は、グリスＧの塗布すべき範囲が段部２２ｂよりも先端側の外周面である対向周面２２ａであることが明確に視認把握される。
そのため、作業者が、グリスＧを、対向周面２２ａから段部２２ｂを超えて過剰に塗布する可能性がほとんどなく、必要な場所である対向周面２２ａ及び先端面２２ｅに所定の量のグリスＧが確実に塗布される。
その結果、支持体２２とフォーカスリング２１との間に介在するグリスＧの量のばらつきが小さくなり、フォーカスリング２１の回動トルクが安定する。
【００２１】
以上詳述した実施例は、上述の構成に限定されるものではなく、本発明の要旨を逸脱しない範囲において変形した変形例としてもよい。
【００２２】
上述の構成を搭載する調整装置は、レンズ装置に限定されず、フォーカスリング２１に相当する操作リングを回動させて特性を調整する調整装置であればよい。
【符号の説明】
【００２３】
１  本体部
２  レンズ装置
２１  フォーカスリング
２１１  外基部
２１２  連結部
２１３  内基部
２１ａ  対向内周面
２１ｅ  対向後面
２２  支持体
２２ａ  対向周面
２２ｂ  段部
２２ｃ  基部
２２ｃ１  外周面
２２ｄ  突出部
２２ｅ  先端面
２２ｆ  露出部
２３  すべり止めリング
２４  前支持体
９１  撮像装置
ＣＬ１  光軸
ＣＬ２２  軸線
ｄ１,ｄ２，ｄ３，ｄ４  隙間
Ｇ  グリス
Ｍ  綿棒
Ｖａ  空間
【図１】
2020126197.tif 000003
【図２】
2020126197.tif 000004
【図３】
2020126197.tif 000005
【図４】
2020126197.tif 000006